(57)【特許請求の範囲】
【請求項１】
洗浄機などにおいて洗浄またはすすぎに使用した洗浄用液を再使用するための洗浄用液再生装置であって、洗浄機で使用した洗浄用液中に含まれる固形物を濾過フィルターを介して濾過する濾過フィルター装置と、前記濾過フィルター装置を介して濾過した濾過水中に含まれる固形物を、砂粒濾過層を介してさらに濾過、清澄化する砂濾過装置とを備え、
前記濾過フィルター装置は、濾過タンクの上方に配設した濾過フィルター上方より、洗浄機で使用した洗浄用液を濾過フィルター上に供給して、濾過フィルターを介して洗浄用液中に含まれる固形物を濾過して、濾過タンクに濾過水を貯留するように構成されているとともに、
さらに前記濾過フィルター装置は、網状のコンベアの上面に沿って、送り出しロールから該送り出しロールに巻装された濾過フィルターを送給するとともに、一定時間濾過を行った後に、コンベアを駆動して使用済みの濾過フィルターを移動して、新しい濾過フィルター面が濾過タンクの上方に位置するように構成されており、
前記砂濾過装置は、濾過タンク本体と、濾過タンク本体内に充填された砂粒濾過層とを備え、砂粒濾過層上方より前記濾過フィルター装置で濾過した濾過水を供給して、砂粒濾過層底部より処理水を回収するように構成され、
前記砂濾過装置は、濾過タンク本体が回転可能に構成されているとともに、砂粒濾過層が濾過タンク本体内にタンクの容積より小さい容量の砂粒を充填して形成されており、一定時間濾過を行った後に、濾過タンク本体を回転させて砂粒濾過層を撹拌しつつ、逆洗洗浄を行うことにより、砂粒濾過層の目詰まりを解消するように構成されていることを特徴とする洗浄用液再生装置。
【発明の詳細な説明】
【０００１】
【発明の属する技術分野】
本発明は、洗浄機などにおいて洗浄またはすすぎに使用した洗浄用液を再使用するための洗浄用液再生装置に関する。
【０００２】
【従来の技術】
従来より、例えば、弁当箱などの食品容器、自動車などを洗浄する洗浄機においては、石鹸液などの洗剤を含んだ洗浄液による洗浄を実施した後に、水道水などの清水（すすぎ液）によってすすぎを行っている。
この場合、洗浄液は、高価であり、洗浄液の種類によっては廃棄すると環境汚染にも影響を与えるおそれがあるので、通常は、いったん洗浄に使用した後の洗浄液を回収して再び洗浄に用いている。この場合、いったん洗浄に使用した洗浄液中には、例えば、残飯、塵埃などの固形物残滓（以下、単に「固形物」と言う）が含まれていることが多いので、従来では、網などを介して固形物を除去した後、再び洗浄に用いている。
【０００３】
一方、すすぎを行った後のすすぎ液にも、残飯、塵埃などの固形物が少量でも含まれていることが多いので、従来では、網などを介して固形物を除去した後、下水などに直接廃棄しているのが現状であり、その量も大量に及ぶ。
【０００４】
【発明が解決しようとする課題】
しかしながら、いったん洗浄に使用した後の洗浄液には、汚れ成分が蓄積されてくるので、洗浄効果が低下するため、洗浄効果を維持させるために、新たに洗剤などの溶剤、水などの溶媒を追加しなければならない。また、洗浄効果が極端に低下してしまった場合には、洗浄液を廃棄、更新せざるを得なかった。
【０００５】
また、前述のように網などを介して固形物を除去するだけでは、網の目を通過する微小な固形物を除去することは不可能であり、洗浄液の洗浄効果を阻害する要因の一つにもなっている。
一方、すすぎ液の場合にあっても、前述のように網などを介して固形物を除去するだけでは、網の目を通過する微小な固形物を除去することは不可能であり、これを下水などに廃棄することは、環境汚染などの観点からして好ましくなく、しかも、すすぎ液は大量に及ぶため節水面や水資源有限などが認識されている昨今の事情からしても問題がある。
【０００６】
本発明は、このような実情に鑑み、洗浄機において、洗浄に使用した洗浄液、ならびにすすぎを行った後のすすぎ液（以下、これらを総称して単に「洗浄用液」と言う。）を回収して、この洗浄用液中に含まれる残飯、塵埃などの固形物残滓、汚れ成分を完全に除去して、再び洗浄機において洗浄用液として再使用可能にし、節水、洗浄液節約に寄与することの可能な洗浄用液再生装置を提供することを目的としている。
【０００７】
【課題を解決するための手段】
本発明は、前述したような従来技術における課題及び目的を達成するために発明なされたものであって、本発明の洗浄用液再生装置は、洗浄機などにおいて洗浄またはすすぎに使用した洗浄用液を再使用するための洗浄用液再生装置であって、洗浄機で使用した洗浄用液中に含まれる固形物を濾過フィルターを介して濾過する濾過フィルター装置と、前記濾過フィルター装置を介して濾過した濾過水中に含まれる固形物を、砂粒濾過層を介してさらに濾過、清澄化する砂濾過装置とを備え、
前記濾過フィルター装置は、濾過タンクの上方に配設した濾過フィルター上方より、洗浄機で使用した洗浄用液を濾過フィルター上に供給して、濾過フィルターを介して洗浄用液中に含まれる固形物を濾過して、濾過タンクに濾過水を貯留するように構成されているとともに、
さらに前記濾過フィルター装置は、網状のコンベアの上面に沿って、送り出しロールから該送り出しロールに巻装された濾過フィルターを送給するとともに、一定時間濾過を行った後に、コンベアを駆動して使用済みの濾過フィルターを移動して、新しい濾過フィルター面が濾過タンクの上方に位置するように構成されており、
前記砂濾過装置は、濾過タンク本体と、濾過タンク本体内に充填された砂粒濾過層とを備え、砂粒濾過層上方より前記濾過フィルター装置で濾過した濾過水を供給して、砂粒濾過層底部より処理水を回収するように構成され、
前記砂濾過装置は、濾過タンク本体が回転可能に構成されているとともに、砂粒濾過層が濾過タンク本体内にタンクの容積より小さい容量の砂粒を充填して形成されており、一定時間濾過を行った後に、濾過タンク本体を回転させて砂粒濾過層を撹拌しつつ、逆洗洗浄を行うことにより、砂粒濾過層の目詰まりを解消するように構成されていることを特徴とする。
【０００８】
このように構成することによって、洗浄機などにおいて洗浄またはすすぎに使用した洗浄用液中に含まれる残飯、塵埃などの固形物を濾過フィルターにて濾過して取り除くことができる。そして、濾過フィルターで濾過した濾過水中に含まれるさらに微小な固形物（ＳＳ）、汚れ成分を、砂粒濾過層を介してさらに濾過して取り除くことができるため、洗浄用液中に含まれる固形物、汚れを完全に除去できるため、再び洗浄機において洗浄用液として用いることが可能となる。
【０００９】
すなわち、これらの濾過フィルターによる粗濾過処理を経ることにより、砂ろ過層による精密濾過処理が効果的に行われ、これらの相乗作用によって、優れた濾過、清澄化作用が実現する。
従って、本発明において、洗浄用液が洗浄液の場合には、固形物ならびに汚れ成分を除去できるので、洗浄効果を回復することができ、しかも洗剤などの溶剤、水などの溶媒を節約することが可能となる。一方、洗浄用液がすすぎ液の場合には、すすぎ水中に含まれる固形物、汚れを完全に除去できるため、節水に寄与することが可能となる。
【００１０】
また、本発明の洗浄用液再生装置は、前記濾過フィルター装置が、濾過タンクの上方に配設した濾過フィルター上方より、洗浄機で使用した洗浄用液を濾過フィルター上に供給して、濾過フィルターを介して洗浄用液中に含まれる固形物を濾過して、濾過タンクに濾過水を貯留するように構成されているので、これにより、洗浄機で使用した洗浄用液を濾過フィルター上に供給して、濾過フィルターを介して洗浄用液中に含まれる固形物、汚れ成分を濾過して、濾過タンクに濾過水を確実に貯留できる。
【００１２】
さらに、本発明の洗浄用液再生装置は、前記濾過フィルター装置が、網状のコンベアの上面に沿って、送り出しロールから該送り出しロールに巻装された濾過フィルターを送給するとともに、一定時間濾過を行った後に、コンベアを駆動して使用済みの濾過フィルターを移動して、新しい濾過フィルター面が濾過タンクの上方に位置するように構成されているので、一定時間濾過を行った後に目詰まりした濾過フィルター面を、新しい濾過フィルター面に自動的に交換することができる。これにより、常に安定した濾過性能が得られる。
【００１３】
また、本発明の洗浄用液再生装置は、前記砂濾過装置が、濾過タンク本体と、濾過タンク本体内に充填された砂粒濾過層とを備え、砂粒濾過層上方より前記濾過フィルター装置で濾過した濾過水を供給して、砂粒濾過層底部より処理水を回収するように構成されているので、砂粒濾過層上方より濾過フィルター装置で濾過した濾過水を供給することによって、濾過フィルターで濾過除去できなかった濾過水中に含まれるさらに微小な固形物、汚れ成分を、砂粒濾過層を介して濾過除去することができる。
【００１４】
さらに、本発明の洗浄用液再生装置は、前記砂濾過装置が、濾過タンク本体が回転可能に構成されているとともに、砂粒濾過層が濾過タンク本体内にタンクの容積より小さい容量の砂粒を充填して形成されており、一定時間濾過を行った後に、濾過タンク本体を回転させて砂粒濾過層を撹拌しつつ、逆洗洗浄を行うことにより、砂粒濾過層の目詰まりを解消するように構成されているので、一定時間濾過を行った後に、濾過タンク本体を回転させることによって、濾過タンク本体内において、砂粒濾過層が撹拌されることになるので、砂粒濾過層に付着する固形物、汚れ成分が砂粒より解離して逆洗洗浄水中に浮遊することになるので、これを濾過タンク本体外に排出することによって、砂粒濾過層の目詰まりを解消でき、常に安定した濾過、清澄化性能が得られる。
【００１５】
【発明の実施の形態】
以下、本発明の実施の形態（実施例）を図面に基づいてより詳細に説明する。図１は、本発明の一実施例に係る洗浄用液再生装置の平面図、図２は、図１のII方向矢視図、図３は、図２のIII方向矢視図、図４は、本発明の洗浄用液再生装置の作動を説明する全体の概略図である。
【００１６】
図１〜図３において、１０は全体で本発明の洗浄用液再生装置を示している。洗浄用液再生装置１０は、工場などの床上に載置される架台１２の下方架台１４に配置された濾過フィルター装置２０と、上方架台１６に配置された砂濾過装置５０とを備えている。
濾過フィルター装置２０は、図２に示したように、架台１２の下方架台１４上に配置された濾過タンク２２を備えている。そして、この濾過タンク２２の上方には、架台１２の架台フレーム１８に回転可能に軸支された一対の駆動ローラ２４、回転ローラ２６の間に架け渡された網状のコンベア２８が配設されており、案内ローラ３０、３０を介してセットされている。
【００１７】
また、駆動ローラ２４の近傍には、架台フレーム１８に回転可能に軸支された濾過フィルター用送り出しロール３２が備えられており、この送り出しロール３２には、シート状の濾過フィルターＡが巻装されている。そして、送り出しロール３２から送り出された濾過フィルターＡは、図示しない駆動モータの駆動により回転する駆動ローラ２４とこれに当接する当接ローラ３４とのローラ間隙から、コンベア２８の上面を案内ローラ３０，３０で案内されて、濾過タンク２２の側部に形成されたスラッジケース３６内に収容されるように構成されている。
【００１８】
さらに、このコンベア２８の上方には、図４に示したように、架台１２の下方架台１４上に配置された移送ポンプ３８を介して、洗浄機１００で洗浄またはすすぎに使用した洗浄用液Ｂを、受けタンク１０２から、コンベア２８上方の濾過フィルターＡに供給するための洗浄用液供給装置４０が、架台フレーム１８に固定されている。なお、この洗浄用液供給装置４０は、図示しないが、コンベア２８の幅方向に延びる供給管の下方に複数の供給孔が形成されており、案内ローラ３０、３０の間に位置する濾過フィルターＡのほぼ全域にわたって洗浄用液Ｂが上方より供給されるようになっている。
【００１９】
そして、ある一定時間濾過を実施した後に、予めセットされたタイマーにより、コンベアが駆動して使用済みの濾過フィルターＡを移動して、新しい濾過フィルター面が濾過タンク２２の上方に位置するようになっている。そして、不要になったスラッジを含んだ濾過フィルターＡは、スラッジケース３６内に収容されるようになっている。
【００２０】
なお、この場合、コンベア２８の駆動方法としては、図５に示したように、コンベア２８の上方に水位センサーａを設けて、濾過フィルターＡの目詰まりが進行して、所定の水位を検知した時にコンベア２８が作動して、新しい濾過フィルター面が濾過タンク２２の上方に位置するように更新するようにしてもよい。
このように構成することによって、目詰まりした濾過フィルター面を、新しい濾過フィルター面に交換することができるので、これが繰り返されて常に安定した濾過性能が得られる。
【００２１】
なお、濾過タンク２２の側部には、逆洗洗浄の際に使用する吸水接続口４２が形成されており、フロートを備えたボールタップ４４により、濾過タンク２２の水位が一定のレベルに達した際にこの吸水接続口４２が閉止されるように構成されている。
また、濾過フィルターＡとしては、特に限定されるものではなく、洗浄用液に応じて種々のメッシュサイズの濾過フィルターペーパなど、シート状のフィルター素材が使用可能である。
【００２２】
一方、砂濾過装置５０は、上方架台１６の架台フレーム１７に回転可能に軸支された濾過タンク本体５２を備えており、上方架台１６に設けた駆動モータ５４のプーリ５６と濾過タンク本体５２に固着したプーリ５８との間に架け渡された駆動ベルト６０により回転するようになっている。
濾過タンク本体５２内には、濾過タンク本体５２の容積より小さい容量、好ましくは濾過タンク本体５２の容積の半分以下、より好ましくは１／２〜１／４の容積の、例えば、ケイ砂などの砂粒を充填して砂粒濾過層Ｄが形成されている。なお、この砂粒の粒径としては、特に限定されるものではなく、濾過水Ｃ中に含まれる固形物のサイズに応じて適宜選択すればよい。
【００２３】
濾過タンク本体５２には、両側部よりそれぞれ、濾過水供給パイプ６２と、処理水回収パイプ６４とが回転不能に貫通配置されている。
この濾過水供給パイプ６２には、架台１２の下方架台１４上に配置された濾過水ポンプ６６を介して、濾過タンク２２から濾過水Ｃが、濾過タンク本体５２に供給されるようになっている。
【００２４】
一方、処理水回収パイプ６４は、濾過タンク本体５２の砂粒濾過層Ｄの底部から、砂粒濾過層Ｄを通過することにより、さらに、微小な固形物が濾過された処理水Ｅを回収して、後述するように、洗浄機１００の洗浄タンク１１０またはすすぎ水タンクのすすぎノズル１０４に供給するようになっている。
なお、砂濾過装置５０では、一定時間濾過を行った後に、駆動モータ５４を作動することにより、濾過タンク本体５２を回転させて砂粒濾過層Ｄを撹拌しつつ、後述するように逆洗洗浄を行うことにより、砂粒濾過層の目詰まりを解消できるようになっている。すなわち、一定時間濾過を行った後に、濾過タンク本体５２を回転させることによって、濾過タンク本体５２内において、砂粒濾過層Ｄが撹拌されることになるので、砂粒濾過層Ｄに付着する固形物が砂粒より解離して逆洗洗浄水中に浮遊することになるので、これを濾過タンク本体５２外に排出することによって、砂粒濾過層Ｄの目詰まりを解消でき、常に安定した濾過性能が得られるようになっている。
【００２５】
なお、図中、６８は、濾過タンク２２のドレイン排出口、６９は、交換のために砂粒濾過層Ｄを濾過タンク本体５２に出し入れするための開閉扉である。
このように構成される本発明の洗浄用液再生装置１０の作動について、以下に図４に基づいて説明する。
洗浄機１００で洗浄またはすすぎに使用した洗浄用液Ｂは、受けタンク１０２から、▲１▼のラインにより移送ポンプ３８を介して、▲２▼のラインを通り、濾過フィルター装置２０コンベア２８上方の濾過フィルターＡに供給するための洗浄用液供給装置４０に送給され、案内ローラ３０、３０の間に位置する濾過フィルターＡのほぼ全域にわたって洗浄用液が上方より供給される。これにより、洗浄用液Ｂ中の固形物、汚れ成分が濾過フィルターＡを介して濾過され、濾過水Ｃが濾過タンク２２に貯留されるようになっている。
【００２６】
なお、この場合、前述したように、ある一定時間濾過を実施した後に、コンベアを駆動して使用済みの濾過フィルターＡを移動して、新しい濾過フィルター面が濾過タンク２２の上方に位置するようになっている。
そして、濾過タンク２２に濾過水Ｃが一定レベルに達した後に、濾過水ポンプ６６が駆動され、濾過タンク２２から濾過水Ｃが、▲３▼のラインを介して、五方弁７０を操作することにより、▲４▼のラインを介して濾過水供給パイプ６２により、砂濾過装置５０の濾過タンク本体５２に供給されるようになっている。
【００２７】
濾過タンク本体５２内に供給された濾過水Ｃは、濾過タンク本体５２内の砂粒濾過層Ｄを通過することにより、さらに、微小な固形物、汚れ成分が濾過される。そして、濾過された処理水Ｅは、濾過タンク本体５２の砂粒濾過層Ｄの底部から、処理水回収パイプ６４により、▲５▼のラインを介して、五方弁７０を操作することにより、▲６▼のラインを通り、洗浄機１００のすすぎノズル１０４（または、図示しないが洗浄の場合には、別途設けた洗浄ノズルの場合もある）に供給され、再び洗浄用液として再使用するようになっている。なお、洗浄機１００が不使用時には、別途設けた洗浄タンク１１０に一時的に貯留するようになっている。
【００２８】
ところで、砂濾過装置５０では、一定時間濾過を行った後に砂粒濾過層の目詰まりなどにより濾過性能が低下した際には、逆洗洗浄を実施するようになっている。
なお、この場合、逆洗洗浄を実施するタイミングを制御する方法としては、特に限定されるものではなく、例えば、圧力スイッチによる方法、タイマー選択による方法、定時タイマーによる方法、積算稼働時間による方法などが採用可能である。
【００２９】
この際には、前述した受けタンク１０２からの洗浄用液Ｂの供給を停止するとともに、濾過タンク２２の側部に設けられた吸水接続口４２に、別途図示しない給水源から、ライン▲８▼を介して、逆洗洗浄用の水を濾過タンク２２内に供給する。そして、濾過タンク２２のフロートを備えたボールタップ４４により、濾過タンク２２の水位が一定のレベルに達した際に、この吸水接続口４２が閉止され、逆洗洗浄用の水の供給が停止される。
【００３０】
そして、濾過水ポンプ６６が駆動され、濾過タンク２２から逆洗洗浄用の水が、▲３▼のラインを介して、五方弁７０を操作することにより、▲５▼のラインを逆に流れた、処理水回収パイプ６４から濾過タンク本体５２の砂粒濾過層Ｄの底部から供給される。
この際、駆動モータ５４を作動することにより、濾過タンク本体５２を回転させ、濾過タンク本体５２内において、砂粒濾過層Ｄが撹拌され、砂粒濾過層Ｄに付着する固形物が砂粒より解離して逆洗洗浄水中に浮遊する。これを、▲４▼のラインを介して、濾過水供給パイプ６２から、五方弁７０を操作することにより、ライン▲９▼を介して濾過タンク本体５２外に排出する。これによって、砂粒濾過層Ｄの目詰まりが解消でき、常に安定した濾過性能が得られるようになっている。
【００３１】
さらに、洗浄機１００のすすぎノズル１０４への洗浄用液の量が不足する場合には、ライン１０を介して、ライン▲６▼より供給するようになっている。
このような一連の制御は、上方架台１６の操作盤８０内に配設された制御装置によって自動的に制御されるようになっている。
【００３２】
【発明の効果】
以上説明したように、本発明に係る洗浄用液再生装置によれば、洗浄機などにおいて洗浄またはすすぎに使用した洗浄用液中に含まれる残飯、塵埃などの固形物を濾過フィルターにて濾過して取り除くことができる。そして、濾過フィルターで濾過した濾過水中に含まれるさらに微小な固形物（ＳＳ）を、砂粒濾過層を介してさらに濾過して取り除くことができるため、洗浄用液中に含まれる固形物を完全に除去できるため、再び洗浄機において洗浄用液として用いることが可能となる。
【００３３】
すなわち、これらの濾過フィルターによる粗濾過処理を経ることにより、砂ろ過層による精密濾過処理が効果的に行われ、これらの相乗作用によって、優れた濾過、清澄化作用が実現する。
従って、本発明において、洗浄用液が洗浄液の場合には、固形物ならびに汚れ成分を除去できるので、洗浄効果を回復することができ、しかも洗剤などの溶剤、水などの溶媒を節約することが可能となる。一方、洗浄用液がすすぎ液の場合には、すすぎ水中に含まれる固形物、汚れを完全に除去でき清澄水とすることができ、節水に寄与することが可能となる。
【００３４】
また、本発明の洗浄用液再生装置によれば、目詰まりした濾過フィルター面を、新しい濾過フィルター面に交換することができるので、常に安定した濾過性能が得られる。
さらに、本発明の洗浄用液再生装置によれば、目詰まりが進行して濾過機能が低下した場合は、濾過タンク本体を回転させることによって、濾過タンク本体内において、砂粒濾過層が撹拌されることになるので、砂粒濾過層に付着する固形物が砂粒より解離して逆洗洗浄水中に浮遊することになるので、これを濾過タンク本体外に排出することによって、砂粒濾過層の目詰まりを解消でき、常に安定した濾過性能が得られる。
【図面の簡単な説明】
【図１】図１は、本発明の一実施例に係る洗浄用液再生装置の平面図である。
【図２】図２は、図１のII方向矢視図である。
【図３】図３は、図２のIII方向矢視図である。
【図４】図４は、本発明の洗浄用液再生装置の作動を説明する全体の概略図である。
【図５】図５は、本発明の洗浄用液再生装置の濾過フィルターの更新方法を説明する概略図である。
【符号の説明】
１０  洗浄用液再生装置
１２  架台
１４  下方架台
１６  上方架台
１７  架台フレーム
１８  架台フレーム
２０  濾過フィルター装置
２２  濾過タンク
２４  駆動ローラ
２６  回転ローラ
２８  コンベア
３０  案内ローラ
３２  ロール
３４  当接ローラ
３６  スラッジケース
３８  移送ポンプ
４０  液供給装置
４２  吸水接続口
４４  ボールタップ
５０  砂濾過装置
５２  濾過タンク本体
５４  駆動モータ
５６  プーリ
５８  プーリ
３０，３０  案内ローラ
６０  駆動ベルト
６２  濾過水供給パイプ
６４  処理水回収パイプ
６６  濾過水ポンプ
７０  五方弁
８０  操作盤
１００      洗浄機
１０２      受けタンク
１０４      すすぎノズル
１１０      洗浄タンク
Ａ    濾過フィルター
Ｂ    洗浄用液
Ｃ    濾過水
Ｄ    砂粒濾過層
Ｅ    処理水
【図１】
0004195149.tif 000002
【図２】
0004195149.tif 000003
【図３】
0004195149.tif 000004
【図４】
0004195149.tif 000005
【図５】
0004195149.tif 000006